(57)【特許請求の範囲】
【請求項１】
型鋼からなる構造材に内外装材等を敷設するために用いるフレーム材と固定材とからなる取付部材であって、
前記フレーム材は、敷設状態において構造材上に起立される中空状であって、固定材の係合部と係合可能な被係合部を有する起立部と、該起立部の上方には外装材を直接或いは保持部材を介して保持可能な保持部と、構造材を抱持可能な或いは構造材に係止可能な第１取付部とを備え、
前記固定材は、敷設状態において構造材に沿わせて配設する添接片と該添設片を折り曲げた傾斜片とからなる板バネ材であって、前記添接片の先端には、構造材に係止可能な或いは構造材を抱持可能な第２取付部を備え、前記傾斜片の先端には前記フレーム材の被係合部と係合可能な係合部を備え、
固定材を更に折り曲げて付勢することでフレーム材の第１取付部、固定材の第２取付部の少なくとも一方が構造材に引き寄せられると共に、フレーム材の被係合部に固定材の係合部を係合することで位置規制されて構造材に一体的に取り付けられることを特徴とする取付部材。
【請求項２】
フレーム材の中空状の起立部内に、固定材の傾斜片を配設した状態で固定材を更に折り曲げて付勢することで、起立部内の被係合部と傾斜片の係合部とを係合することを特徴とする請求項１に記載の取付部材。
【請求項３】
フレーム材の中空状の起立部内に、固定材の傾斜片を挿入、配設する起立部前面側に、固定材の係合部が当接することを特徴とする請求項２に記載の取付部材。
【請求項４】
起立部には、構造材表面と固定材の添接片で挟着される横片部が設けられることを特徴とする請求項１〜３の何れか一項に記載の取付部材。
【請求項５】
型鋼からなる構造材に請求項１〜４の何れか一項に記載の取付部材のフレーム材を配設した状態で固定材を取り付ける方法であって、固定材を更に折り曲げて付勢することで固定材の第２取付部が構造材に引き寄せられると共に、フレーム材の被係合部に固定材の係合部を係合することで位置規制されて構造材に一体的に取り付けられることを特徴とする取付部材の施工方法。
【請求項６】
起立部には孔が設けられ、該孔に棒状材を挿入した状態で固定材の係合部を付勢することを特徴とする請求項５に記載の取付部材の施工方法。
【請求項７】
型鋼からなる構造材に請求項１〜４の何れか一項に記載の取付部材を取り付け固定し、隣り合う取付部材間に外装材を配し、外装材の側縁成形部を取付部材の保持部に保持させてなることを特徴とする外装構造。
【発明の詳細な説明】
【技術分野】
【０００１】
本発明は、ボルトやナット等の締め込みが不要であり、構造材に簡易かつ迅速に取り付けることができる取付部材、その施工方法、それを用いた外装構造に関する。
【背景技術】
【０００２】
騒音や飛び火に配慮した工法が望まれており、各種形鋼等からなる躯体を構成する構造材に溶接を行うことなく受け金具等を取り付ける方法として、例えば特許文献１，２等が提案されている。
特許文献１には、Ｃ型鋼やＬ型鋼である屋根下地材（構造材）の下向き片に掛止する第１金具と、構造材上に配設する第２金具とをボルトナットにて一体化した固定金具が記載されている。
また、特許文献２には、上部取付部材と下部取付部材とからなるボルトナットにて一体化して取付具とし、該取付具を、受金具にボルトナットにて一体的に固定してＬ型鋼である構造材に取り付けた構造が記載されている。
【先行技術文献】
【特許文献】
【０００３】
【特許文献１】特開２００８−２７４５７１号公報
【特許文献２】特開２００７−５６６３０号公報
【発明の概要】
【発明が解決しようとする課題】
【０００４】
しかし、前記特許文献１の固定金具も、前記特許文献２の構造も、ボルトナットにて一体化する構成であるため、締め付け作業が面倒であり、電動工具を用いると騒音を発生させるものであった。また、ナットの外径に応じたレンチやスパナ等の締め付け用の治具を用いて作業を実施するため、それらの治具を準備したり、作業者が現場まで持ち運ぶ必要もあった。
また、締め付けに際し、ボルト自体は各部材などに組み付けられていても、その先端に締め付けるナットは、作業者が作業場まで持ち運んで取り付ける必要があるため、部材管理が面倒であった。さらに、作業場である高所からナットや治具が落下する可能性があるため、作業上の危険があった。
【０００５】
そこで、本発明は、ボルトやナット等の締め込みが不要であり、構造材に簡易かつ迅速に取り付けることができる取付部材、外装構造、及びその施工方法を提供することを目的とする。
【課題を解決するための手段】
【０００６】
本発明は、上記に鑑み提案されたもので、型鋼からなる構造材に内外装材等を敷設するために用いるフレーム材と固定材とからなる取付部材であって、前記フレーム材は、敷設状態において構造材上に起立される中空状であって、固定材の係合部と係合可能な被係合部を有する起立部と、該起立部の上方には外装材を直接或いは保持部材を介して保持可能な保持部と、構造材を抱持可能な或いは構造材に係止可能な第１取付部とを備え、
前記固定材は、敷設状態において構造材に沿わせて配設する添接片と該添設片を折り曲げた傾斜片とからなる板バネ材であって、前記添接片の先端には、構造材に係止可能な或いは構造材を抱持可能な第２取付部を備え、前記傾斜片の先端には前記フレーム材の被係合部と係合可能な係合部を備え、 固定材を更に折り曲げて付勢することでフレーム材の第１取付部、固定材の第２取付部の少なくとも一方が構造材に引き寄せられると共に、フレーム材の被係合部に固定材の係合部を係合することで位置規制されて構造材に一体的に取り付けられることを特徴とする取付部材に関するものである。
【０００７】
また、本発明は、前記取付部材において、フレーム材の中空状の起立部内に、固定材の傾斜片を配設した状態で固定材を更に折り曲げて付勢することで、起立部内の被係合部と傾斜片の係合部とを係合することを特徴とする取付部材をも提案する。
【０００８】
また、本発明は、前記取付部材において、フレーム材の中空状の起立部内に、固定材の傾斜片を挿入、配設する起立部前面側に、固定材の係合部が当接することを特徴とする取付部材をも提案する。
【０００９】
また、本発明は、前記取付部材において、起立部には、構造材表面と固定材の添接片で挟着される横片部が設けられることを特徴とする取付部材をも提案する。
【００１０】
さらに、本発明は、前記取付部材の施工方法であって、固定材を更に折り曲げて付勢することで固定材の第２取付部が構造材に引き寄せられると共に、フレーム材の被係合部に固定材の係合部を係合することで位置規制されて構造材に一体的に取り付けられることを特徴とする取付部材の施工方法をも提案するものである。
また、フレーム材の起立部前面側には、孔が設けられ、該孔に棒状材を挿入した状態で固定材を更に折り曲げて付勢することを特徴とする取付部材の施工方法をも提案する。
【００１１】
さらに、本発明は、型鋼からなる構造材に前記構成の取付部材を取り付け固定し、隣り合う取付部材間に外装材を配し、外装材の側縁成形部を取付部材の保持部に保持させて敷設してなることを特徴とする外装構造をも提案するものである。
【発明の効果】
【００１２】
本発明の取付部材は、電動工具を使用することなく付勢によって取り付けることができるため「音」の発生が極めて少なく、近隣への配慮がなされた工法であり、また、発生が極めて少ないため、夜間等においても取付が行える。また、ボルトやナット等の締め込みも不要であるため、幹線道路や鉄道等の近隣地域での微振動による締着のゆるみを防止でき、レンチやスパナ等の締め付け用の治具も必要なく、ナットを持ち込んで取り付ける必要もないため、作業性に優れ、落下する部材もなく、安全に作業ができ、部材管理も容易である。
【００１３】
また、起立部は、固定材の係合部が配設可能な中空状に形成され、係合部が中空状内に設けた被係合部に係合する場合、上下方向の動きが規制（付勢状態の維持）されるものとなる。
特に係合部が中空状前面に当接する場合、左右方向の動きも規制されるため、抜け止め効果が果たされる。
【００１４】
また、起立部には、構造材表面と固定材の横片状の添接片で挟着される横片部が設けられる場合、フレーム材を安定して取り付けることができ、取付強度の向上を図ることができる。
【００１５】
さらに、本発明のフレーム材を配設した状態で固定材を取り付ける施工方法は、固定材の係合部を付勢して組み付けるものであり、木槌や金槌などの適当な工具類などを用いて上方から押圧したり叩くなどして押し下げて上方から係合部を付勢すればよく、容易に取付部材を取り付けることができる。
【００１６】
また、起立部には、孔が設けられ、該孔に棒状材を挿入した状態で固定材の係合部を付勢する場合、係合部の変形を防ぎ、係合を確実に行い作業の確実性を向上させることができる。
【００１７】
さらに、前記取付部材を用いた本発明の外装構造は、フレーム材と固定材とからなる取付部材を、ボルトやナット等の締め込みが不要であり、構造材に簡易かつ迅速に取り付けることができ、幹線道路や鉄道等の近隣地域での微振動による締着のゆるみを防止でき、それらの保持部に保持させて外装材を敷設できるので、工期が極めて短期間で行われ、工事の音が静かで、飛び火等の恐れがなく、騒音や火災等を懸念する近隣住民に配慮した構造及び工法である。
【図面の簡単な説明】
【００１８】
【図１】（ａ）本発明の一実施例（第１実施例）である取付部材を構成するフレーム材及び固定材を示す斜視図、（ｂ）この取付部材を構造材（Ｌ型鋼）に取り付けた状態を示す斜視図である。
【図２】（ａ）第１実施例の取付部材を構造材（Ｌ型鋼）に取り付ける状態を側断面図、（ｂ）それを用いた外装構造を示す正面図である。
【図３】（ａ）〜（ｅ）第１実施例の取付部材を構成するフレーム材に固定材を組み付ける手順の一例を示す側断面図である。
【図４】（ａ）〜（ｃ）第１実施例の取付部材を構造材（Ｌ型鋼）に取り付ける手順の一例、及び被係合部と係合部との係合状態を拡大して示す側断面図である。
【図５】（ａ）第１実施例の外装構造に用いた外装材を示す断面図、（ｂ）キャップ材を示す断面図である。
【図６】（ａ）本発明の一実施例（第２実施例）である取付部材を構造材（Ｌ型鋼）に取り付ける状態を示す側断面図、（ｂ）その正面図である。
【図７】（ａ）本発明の一実施例（第３実施例）である取付部材を構造材（Ｌ型鋼）に取り付ける状態を示す側断面図、（ｂ）それを用いた外装構造の要部を示す正面図である。
【図８】（ａ）本発明の一実施例（第４実施例）である取付部材を構造材（Ｌ型鋼、但し前後逆配置）に取り付ける状態を示す側断面図、（ｂ）それを用いた外装構造の要部を示す正面図である。
【図９】（ａ）〜（ｄ）第４実施例の取付部材を構造材（Ｌ型鋼、但し前後逆配置）に取り付ける手順の一例を示す側断面図である。
【図１０】（ａ）保持部材を装着する以前の本発明の一実施例（第５実施例）である取付部材を構造材（Ｌ型鋼）に取り付けた状態を示す斜視図、（ｂ）それを用いた外装構造を示す正面図である。
【図１１】（ａ）本発明の一実施例（第６実施例）である取付部材を構造材（Ｃ型鋼）に取り付けた状態を示す側断面図、（ｂ）その正面図、（ｃ）それを用いた外装構造の要部を示す正面図である。
【図１２】（ａ）本発明の一実施例（第７実施例）である取付部材を構造材（Ｃ型鋼）に取り付けた状態を示す側断面図、（ｂ）その正面図である。
【図１３】（ａ）本発明の一実施例（第８実施例）である取付部材を構造材（Ｃ型鋼）に取り付けた状態を示す側断面図、（ｂ）その正面図である。
【発明を実施するための形態】
【００１９】
本発明の取付部材は、型鋼からなる構造材に外装材を敷設するために用いるものであって、フレーム材と固定材とを一体的に組み付けてなる。
フレーム材は、被係合部を有する起立部と、保持部と、第１取付部と、を備える構成であって、単一部材からなる構成でも、複数部材から構成されるものでもよい。
固定材は、添接片と、第２取付部と、係合部と、を備える構成であって、添接片の一端に第２取付部を、他端に係合部を形成した構成である。
これらのフレーム材と固定材とは、配設手順を限定するものではなく、何れを先に型鋼に取り付けるようにしてもよい。
また、取付対象の構造材である型鋼は、主に母屋、梁等に用いられているＬ型鋼，Ｈ型鋼、リップ溝形鋼（Ｃ型鋼）、チャンネル鋼等の実際に用いられているものであればよい。また、構造材は、新設されたものでも、既存の外装材を撤去した状態の構造材であってもよい。
【００２０】
前記フレーム材における起立部は、敷設状態において構造材上に起立するものであって、被係合部を有するものであれば、特にその他の構成や形状を限定するものではなく、どのように形成してもよい。
この起立部に設けられる被係合部は、後述する固定材の係合部と係合可能な構成であって、付勢状態を保つように位置規制するものであれば、特にその具体的構成や形状を限定するものではなく、断面視、コ字状、Ｃ型状であってもよい。
【００２１】
なお、この起立部を、固定材の係合部が配設可能な中空状に形成し、係合部が中空状内に設けた被係合部に係合するようにした場合には、、上下方向の動きが規制（付勢状態の維持）されるものとなる。
特に係合部を中空状前面に当接させた場合、左右方向の動きも規制されるため、抜け止め効果が果たされる。
【００２２】
また、この起立部に、構造材表面と固定材の横片状の添接片で挟着される横片部が設けた場合には、フレーム材を安定して取り付けることができ、取付強度の向上を図ることができる。
【００２３】
さらに、この起立部に、孔が設けられ、該孔に棒状材を挿入した状態で固定材の係合部を付勢する場合、梃子の原理で容易に押し下げ作業を行うことができ、係合部の変形を防ぎ、係合を確実に行い作業の確実性を向上させることができる。
【００２４】
前記フレーム材における保持部は、前記起立部の上方に設けられるものであって、内外装材等を直接或いは別部材である保持部材を介して保持可能な構成であり、取り付ける内外装材等に応じて適宜構成の保持部又は保持部材を用いればよく特にその具体的構成を限定するものではなく、どのように形成してもよい。取り付ける内外装材等についても、特に限定するものではなく、例えば屋根材でもよいし、太陽電池を組み込んだパネル等であってもよい。
【００２５】
前記フレーム材における第１取付部は、構造材を抱持可能な或いは構造材に係止可能な構成であって、取付対象の構造材である型鋼の形状などによっても異なる。
【００２６】
前記固定材における添接片は、構造材に沿わせて配設するものであって、一端に第２取付部が、他端に係合部が形成された構成であり、略板状又はそれを屈曲して形成した略板状に形成される。
なお、この添接片は、構造材の上面に沿わせても或いは側面に沿わせてもよく、言い換えれば後述する図示実施例（但し、第３実施例を除く）のように、フレーム材の起立部に略直交する横片状に用いてもよいし、後述する第３実施例のようにフレーム材の起立部に略平行する縦片状に用いてもよい。
【００２７】
この添接片に設けられる第２取付部は、前記フレーム材の第１取付部と同様に、構造材に係止可能な或いは構造材を抱持可能な構成であって、取付対象の構造材（型鋼）の形状などによっても異なる。
【００２８】
また、この添接片に設けられる係合部は、前記フレーム材の被係合部と係合可能な構成であって、付勢可能（弾性変形可能）状態で組み付けられるものであれば、特にその具体的構成や形状を限定するものではない。
この固定材の係合部を付勢する（弾性変形させる）ことにより、フレーム材の第１取付部、固定材の第２取付部の少なくとも一方が引き寄せられると共に、被係合部に係合することで位置規制される（付勢状態を維持する）。なお、付勢は、係合部を弾性変形させることを指すが、その手段としては、フレーム材と固定材の組み付けた後に付勢するものでもよいし、組み付け時に付勢するもの（後述する図７の実施例）でもよい。
このように固定材の係合部の弾性変形による引き寄せにより第１取付部又は第２取付部の何れか一方又は両方を係止し、被係合部で弾性復帰させないようにすることで取り付けている。
【００２９】
このような構成を有する本発明の取付部材は、電動工具を使用することなく付勢によって取り付けることができるため「音」の発生が極めて少なく、近隣住民に配慮した工法である。また、ボルトやナット等の締め込みも不要であるため、レンチやスパナ等の締め付け用の治具も必要なく、ナットを持ち込んで取り付ける必要もなく、作業性に優れ、落下する部材もなく、安全に作業ができ、部材管理も容易である。
【００３０】
また、前述のように本発明の取付部材を構成するフレーム材と固定材の何れを先に構造材に取り付けしてもよく、後述する第３実施例以外の図示実施例に示すように、固定材の係合部を付勢して組み付けるものであり、木槌や金槌などの適当な工具類などを用いて上方から押圧したり叩くなどして押し下げて上方から係合部を付勢すればよく、容易に取付部材を取り付けることができる。
【００３１】
また、後述する図示実施例の第３実施例に示すように、フレーム材を第１取付部を支点として回動させて組み付ける操作を通じて固定材の係合部を付勢して組み付けるようにしてもよく、この場合にはフレーム材の自重も下方に作用するため、前述の工具類などを用いて係合部を押し下げる場合に比べて容易に且つ安定に敷設を実現することができる。
【００３２】
前記構成の取付部材の保持部に直接或いは保持部材を介して保持される外装材は、保持される側縁成形部を備える以外の構成は特に限定するものではない。この取付部材は、構造材と直交する桟状に配設されるので、例えば後述する図示実施例のように、隣り合う取付部材間が谷部となって、取付部材に支持される部分が山部となる連続波状の外装面が構築されるようにしてもよい。
【実施例】
【００３３】
図１に示す本発明の一実施例である取付部材（以下、単に取付部材という）１は、Ｌ型鋼からなる構造材４に外装材５を敷設するために用いるものであって、フレーム材２と固定材３とを一体的に組み付けてなる。
【００３４】
前記フレーム材２は、被係合部２１１を有する起立部２１と、保持部２２と、第１取付部２３と、を備える構成であって、図示実施例のフレーム材２は、縦長に形成された成型材であって、単一部材から構成される。
固定材３は、添接片３１と、その一端に形成した第２取付部３２と、他端に形成した係合部３３と、を備える構成であって、図示実施例の固定材３は、横片状に形成され、より詳しくは奥側の端縁を上方へ折り返した形状の略横片状に形成されている。
また、図示実施例では、構造材４として用いられるＬ型鋼は、下方に下端が延在し、前方に側端が延在するように配されている。
【００３５】
前記フレーム材２における矩形状の縦片である起立部２１は、図１（ａ）に示すようにその上端に切り込み加工や折り曲げ加工を施して保持部２２を形成し、その下端に折り曲げ加工を施して第１取付部２３を形成した構成であり、中程の左右の側端を前方へ折り曲げ、続いてその折り曲げた片の上方部分を内側へ折り曲げ、前方中央が縦スリット状に解放する中空（箱）状２４に形成し、下方部分については前記折り曲げ部分を下端から切り込んで下方から略Ｌ字状に折り曲げることにより、略水平状の横片部２５を形成した構成である。
なお、この実施例における被係合部２１１は、前記中空（箱）状２４の左右の前面２４１，２４１に形成した爪状の突出部を指す。なお、この被係合部２１１は、厳密には前面２４１の裏面側（内面側）に爪状に突出する部分であり、その役割については、後述する図４の説明にて詳述する。
【００３６】
前記フレーム材２における保持部２２は、前記起立部２１の上端に切り込み加工や折り曲げ加工を施して形成した部分全体を指し、より具体的には後述する外装材５，５の側縁成形部５２，５２を裏面から支持する合計４つの支持片と、左右の傾斜状の支持片の下方に形成される空間部である被嵌合部２２１，２２１と、略中央に形成される空間部である第二被嵌合部２２２とからなる。
前記フレーム材２における第１取付部２３は、構造材４の下端に係止可能な前方側へ折り返し片状に形成した。
【００３７】
前記固定材３における添接片３１は、構造材４の上面に沿わせて配設される横片状であって、一端（前端）に下方へ折り返した第２取付部３２が設けられ、他端（奥端）に傾斜片状に係合部３３を形成した構成である。なお、傾斜片３４と添接片３１とは、折り曲げ部分の略中央にスリット３４１を形成することにより、鋭角状の傾斜角度が形成されるように成形されている。
【００３８】
前記固定材３における係合部３３は、図１（ａ）に示すように添接片３１の奥側の端縁を上方へ折り返した傾斜片３４に設けられ、該傾斜片３４は中央に上方へ延在する鍔部３５が設けられ、それより短く形成された左右の上端が係合部３３である。
前記固定材３おける第２取付部３２は、構造材４の上面の先端（前端）に係止可能な下方へ折り返し片状に形成した。
【００３９】
このような構成のフレーム材２と固定材３とを組み付ける手順を図３に示す実施例にて説明する。
図１（ａ）に示すようにフレーム材２の中空（箱）状２４の前面２４１の下端と横片部２５との間には、空間部（隙間）が形成されているので、まず、この隙間から図３（ａ）に示すように、固定材３の傾斜片３４を下方から差し込んで位置させる。
この状態で図３（ｂ）から図３（ｄ）に示すように固定材３の第２取付部３２を把持しつつ回動させる。
そして、図３（ｅ）に示すように添接片３１が略水平状に近くなると、傾斜片３４の中央に設けられた鍔部３５の先端が、中空（箱）状２４の前面２４１，２４１間に設けられた縦スリット状の開放部分から前方に露出する状態となる。
【００４０】
続いて組み合わされた取付部材１が構造材４に取り付けられる手順を図４に示す実施例にて説明する。
まず、図４（ａ）に示すように構造材４の下端に、組み合わされた取付部材１を寝かせた（傾斜させた）状態で臨ませてフレーム材２の第１取付部２３を係止させ、この状態で取付部材１を図中に矢印で示すように回動させる。
次に、図４（ｂ）に示すように構造材４の側面にフレーム材２の起立部２１を沿わせた後、図中に矢印で示すように固定材３の添接片３１を構造材４の上面に沿わせると共にその先端に第２取付部３２を係止させる。
その後、図４（ｃ）に示すように固定材３の鍔部３５を上方から下方へ叩き付け、図中に矢印で示すように係合部３３がフレーム材２の被係合部２１１に蓄勢状態で組み付けられるように係合させる。なお、係合部３３と被係合部２１１との係合状態は、この図４（ｃ）中に二点鎖線にて囲って示した。
【００４１】
このように施工される本発明の取付部材１は、電動工具を使用することなく付勢によって取り付けることができるため「音」の発生が極めて少なく、近隣への配慮がなされた工法であり、また、発生が極めて少ないため、夜間等においても取付が行える。また、ボルトやナット等の締め込みも不要であるため、幹線道路や鉄道等の近隣地域での微振動による締着のゆるみを防止でき、レンチやスパナ等の締め付け用の治具も必要なく、ナットを持ち込んで取り付ける必要もないため、作業性に優れ、落下する部材もなく、安全に作業ができ、部材管理も容易である。
【００４２】
また、この第１実施例では、フレーム材２の起立部２１の前方に、中空（箱）状２４を形成して係合部３３が中空（箱）状２４内に設けた被係合部２１１に係合する態様であるため、上下方向の動きが規制（付勢状態の維持）されるものとなる。
さらに係合部３３３が中空（箱）状２４の前面２４１に当接するため、左右方向の動きも規制されるため、抜け止め効果が果たされる。
【００４３】
また、この第１実施例では、起立部２１に、構造材４の表面と固定材３の横片状の添接片３１で挟着される横片部２５を設けたので、フレーム材２を安定して取り付けることができ、取付強度の向上を図ることができる。
【００４４】
さらに、前記本発明の施工方法は、固定材３の係合部３３を付勢して組み付けるものであり、木槌や金槌などの適当な工具類などを用いて上方から押圧したり叩くなどして押し下げて上方から係合部３３を付勢すればよく、容易に取付部材１を取り付けることができる。
【００４５】
また、図２（ｂ）に示す外装構造は、前記取付部材１の取り付け後に、図５（ａ）に示す外装材５及び図５（ｂ）に示すキャップ材６を配設したものであり、前記取付部材１を取り付け固定した後、隣り合う取付部材１，１間に外装材５を配し、外装材５の側縁成形部５２を取付部材１の保持部２２に保持させて敷設したものである。
図示実施例の外装材５は、図５（ａ）に示すように、略平坦状の面板部５１の左右端縁を傾斜状に立ち上げた側縁成形部５２，５２を備え、この側縁成形部５２の途中に、取付部材１の被嵌合部２２１と嵌合する略く字状の嵌合部５２１を有し、その上方に延在する折り曲げ傾斜面が裏面側を保持部２２にて保持される被支持部５２２であり、さらにその上端に断面略Ｕ字状の第二嵌合部５２３を有する。
また、隣接する外装材５，５間には、キャップ材６が取り付けられて外装面を構築しているが、このキャップ材６は、図５（ｂ）に示すように、略傘状の覆い部６１の左右側縁に前記嵌合部５２１の裏面側に嵌合する嵌合保持部６２，６２を備える構成である。
なお、図中、点線で示す白矢印は、外装材５及びキャップ材６の各部位が、施工状態で弾性回復力が働く方向を示している。このような弾性回復力は、予め施工状態の角度よりも深い角度に成形しておき、弾性に抗して施工し、その回復力が施工後に作用するようにしたものである。
【００４６】
この外装構造を施工するには、前述のように取付部材１を取り付けた後、隣り合う取付部材１，１間に外装材５を配し、外装材５の側縁成形部５１，５１の嵌合部５１１，５１１を取付部材１の被嵌合部２２１に嵌合させて敷設する。その際、外装材５の被支持部５２２を保持部２２の被嵌合部２２１に支持させ、さらに、左右の外装材１，１の第二嵌合部５２３，５２３を保持部２２の第二被嵌合部２２２に嵌合させて取り付けた。
その後、前記構成のカバー材６を上方から下方へ押し付けるだけで、その嵌合保持部６２，６２が外装材５，５の嵌合部５２１，５２１の裏面側に嵌合する。
【００４７】
こうして施工される外装構造は、フレーム材２と固定材３とからなる取付部材１を、電動工具を使用することなく付勢によって取り付けることができるため「音」の発生が極めて少なく、ボルトやナット等の締め込みが不要であり、構造材に簡易かつ迅速に取り付けることができ、幹線道路や鉄道等の近隣地域での微振動による締着のゆるみを防止でき、それらの保持部２２に保持させて外装材５を敷設できるので、工期が極めて短期間で行われ、工事の音が静かで、落下する部材もなく、溶接等に起因する飛び火等の恐れもなく、騒音や火災等を懸念する近隣住民に配慮した構造及び工法である。
【００４８】
図６に示す第２実施例では、取付部材１Ｂがフレーム材２Ｂと固定材３Ｂとからなり、フレーム材２Ｂの構成については起立部２１ｂの略中央に孔２１２が設けられた以外は前記第１実施例とほぼ同様に第１取付部２３ｂを構造材４の下端に係止させて回動させて配設し、固定材３Ｂの略水平状の添接片３１ｂを構造材４の上面に沿わせつつ第２取付部３２ｂが構造材４の前端に係止するように配設するが、固定材３Ｂに設けた係合部３３が、傾斜片３４の上端（前端）を折り曲げて端部を鉛直状としてので、フレーム材２の被係合部２１１への当接（係合）が確実に行われるようにした例である。
また、この第２実施例では、前記第１実施例のような鍔部３５が設けられず、係合部３３を付勢するためには、起立部２１ｂの孔２１２に図示しない棒状材などを挿入して傾斜片３４を押し下げればよい。
【００４９】
このような第２実施例では、前記第１実施例とほぼ同様の効果を奏することができ、それ以外にも、固定材３Ｂの係合部３３を付勢するために、図示しない棒状材の押し下げをゆっくりと行うことができ、前記第１実施例のように鍔部３５を叩く場合に比べて安定に付勢を実施することができる。
【００５０】
図７に示す第３実施例では、取付部材１Ｃがフレーム材２Ｃと固定材３Ｃとからなり、フレーム材２Ｃについては第１取付部２３ｃが構造材４の前方に延在する側端に係止する構成であり、固定材３Ｃについては第２取付部３２ｃが構造材４の下端に係止する構成である。
【００５１】
前記フレーム材２Ｃは、中空（箱）状２４の背面を構成する縦片が起立部２１ｂであり、中空（箱）状２４の前面を構成する縦片の下端を前方へ略水平状に延在してその先端（前端）に折り返し片状の第１取付部２３ｃが設けられ、中空（箱）状２４の上端には、前記第１実施例と全く同様に保持部２２が形成され、その背面下端には、後述する固定材３Ｃの係合部３６と係合する被係合部２６が設けられている。
【００５２】
前記固定材３Ｃは、構造材４の側面に沿わせる添接片３１ｃが略鉛直状に延在する縦片状に形成され、下端に前方から上方へ折り返した第２取付部３２ｃが設けられ、上端に前方から上方へ略円弧状に屈曲させた係合部３６が形成されている。
【００５３】
このような構成を有するフレーム材２Ｃと固定材３Ｃとからなる取付部材１ＣをＬ型鋼である構造材４に取り付ける手順を説明すると、まず構造材４の下端に、前記構成の固定材３Ｃ（第２取付部３２ｃ）を係止させて取り付ける。
そして、図７（ａ）に示すように前記構成のフレーム材２Ｃを、構造材４の側端（前端）に第１取付部２３ｃを係止させた状態で回動させて取り付ける。すなわち第１取付部２３Ｃを支点として回動させて組み付ける。
【００５４】
このような第３実施例では、前記第１実施例や第２実施例とほぼ同様の効果を奏することができ、それ以外にも、フレーム材２Ｃを第１取付部２３ｃを支点として回動させて組み付けることができ、前述のフレーム材２Ｃと固定材３Ｃの組付けで付勢が行われ、作業性がよい（治具等による付勢を行う必要がない）。
また、この第３実施例のように、構造材４に取り付けるフレーム材２Ｃと固定材３Ｃの各部位（第１取付部２３ｃ及び第２取付部３２ｃ）は、前記第１実施例や第２実施例の態様に限定するものではなく、何れに取り付けるようにしてもよく、同様の効果を奏することができる。同様にフレーム材２Ｃと固定材３Ｃとを一体化（係合）させる各部位（被係合部２６及び係合部３６）についても、前記第１実施例や第２実施例の態様に限定するものではなくどのような形状構成でもよい。
【００５５】
図８に示す第４実施例では、取付部材１Ｄがフレーム材２Ｄと固定材３Ｄとからなり、取付対象の構造材４"であるＬ型鋼は、前記第１〜３実施例とは配設方向が前後逆、即ち角部が前方に存在し、下方に下端が延在し、奥方に側端が延在するように配されており、フレーム材２Ｄについては第１取付部２３ｄが構造材４"の奥方に延在する側端を抱持する構成であり、固定材３Ｄについては略直角面状の第２取付部３２ｄが構造材４"の角部を抱持する構成である。
【００５６】
この実施例におけるフレーム材２Ｄは、前記第１実施例に比べて起立部２１ｄが短く、その下端の第１取付部２３ｄが略直角面状に形成された以外は、ほとんど前記第１実施例と同様である。
また、固定材３Ｄは、略水平状の添接片３１ｄの先端（前端）に設けられた第２取付部３２ｄが略直角面状に形成された以外は、ほとんど前記第１実施例と同様である。
【００５７】
このような第４実施例では、図９（ａ）〜（ｄ）に示すように前記第１実施例や第２実施例とほぼ同様に施工することができ、前記第１実施例や第２実施例とほぼ同様の効果を奏することができる。
この第４実施例のように、取り付ける構造材４"に応じてフレーム材２Ｄと固定材３Ｄの各部位（第１取付部２３ｄ及び第２取付部３２ｄ）は、適宜に形状を選択すればよい。
【００５８】
図１０に示す第５実施例では、取付部材１Ｅがフレーム材２Ｅと固定材３Ｅとからなり、固定材３Ｅについては添接片３１ｅ及び第２取付部３２ｅを含めてほぼ前記第１実施例の固定材３と同様であり、フレーム材２Ｅについては起立部２１ｅ及び第１取付部２３ｅについては同様であるが、起立部２１の上端に保持部２２を設ける代わりに保持部材７を取り付ける構成であり、該保持部材７に左右の外装材５'，５'を保持させてカシメて重合接続した以外は、前記第１実施例とほぼ同様であり、図面に同一符号を付して説明を省略する。
【００５９】
この実施例におけるフレーム材２Ｅは、起立部２１ｅの上端を略水平状に折り曲げて横片状の取付部分２１３とした構成であり、該取付部分２１３には、略円孔状の取付孔が形成されている。
前記取付部分２１３に取り付ける保持部材７は、図１０（ｂ）に示すように断面が逆ハット状のピース材であり、左右に外側へ突出する被嵌合部７１，７１を備え、ボルトナットにより取付部分２１３に固定されている。
また、前記保持部材７に取り付ける外装材５'は、傾斜側面部５４の上端に保持部材７の被嵌合部７１に嵌合する嵌合部５４１を備え、隣り合う外装材５'，５'の側端（５５，５６）同士を重合してカシメて重合することにより接続する構成である。
なお、図１０（ａ）に示す取付材１Ｅには、保持部材７を省略したが、あらかじめフレーム材２Ｅに取り付けておく方が好ましい。
【００６０】
この第５実施例のように、用いる外装材５'の構成に応じた保持部材７を適宜に選択して取付部材１Ｅに取り付ければよく、本発明の取付部材はどのような外装材の取付にも利用できるものである。
【００６１】
図１１〜図１３に示す第６〜８実施例では、取付部材１Ｆ〜１Ｈがリップ溝形鋼（Ｃ型鋼）からなる構造材８に外装材５を敷設するために用いるものであって、フレーム材２Ｆ〜２Ｈと固定材３Ｆ〜２Ｈとを一体的に組み付けてなる例である。
【００６２】
図１１の第６実施例におけるフレーム材２Ｆは、Ｃ型鋼である構造材８の開放状溝部を覆って背面側の下端（角部）に至る起立部２１ｆの下端に、構造材８の下面を覆い、その先端（前端）２３１ｆを上方へ跳ね上げた形状の第１取付部２３ｆを形成し、この第１取付部２３ｆは、構造材８の下面を抱持する構成である。
また、この第６実施例における固定材３Ｆは、Ｃ型鋼である構造材８の上面に沿う略水平面状の添接片３１ｆの先端（前端）に、構造材８の前面側の上端（角部）を抱持する略直角面状の第２取付部３２ｆを有する構成である。
【００６３】
この第６実施例では、第１取付部２３ｆも第２取付部３２ｆも、構造材８の角部を抱持する構成であって、その先端形状は第１取付部２３ｆが略爪状（跳ね上げ片状）、第２取付部３２ｆが略直角面状に形成されている。このように構造材への取付部形状は、係止に限らず抱持可能に形成してもよい。
【００６４】
そして、この第６実施例では、前述のようにＣ型鋼である構造材８が異なり、該構造材８への取付構成（第１取付部２３ｆ，第２取付部３２ｆ）が異なる以外は、前記第２実施例と同様であるから、前述と同様の作用、効果を奏することができ、例えば係合部３３を付勢するために、起立部２１ｆの孔２１２に図示しない棒状材などを挿入して傾斜片３４を押し下げ、固定材３Ｆの係合部３３を付勢すればよい。
【００６５】
図１２に示す第７実施例では、取付部材１Ｇがフレーム材２Ｇと固定材３Ｇからなり、フレーム材２Ｇの第１取付部２３ｇを構造材８の奥側（後側）に位置する上リップの下端に係止させて配設し、固定材３Ｇの構成については、略直角面状に形成された添接片３１ｇを、構造材８の前面及び上面に沿わせつつ前方から臨ませる。
【００６６】
この実施例におけるフレーム材２Ｇは、縦片である起立部２１ｇの下端に、折り返し片状の第１取付部２３ｇが設けられている。
また、固定材３Ｇは、略水平状の添接片３１ｇの前端を、下方へ折り曲げ、更にその下端３２１ｇを後方へ折り曲げた略縦面状の第２取付部３２ｇが形成された構成である。
【００６７】
この第７実施例では、前述のように第１取付部２３ｇを構造材８の上リップの下端に係止してフレーム材２Ｇを配設し、添接片３１ｇの前端に形成される第２取付部３２ｇが構造材８の前面を抱持するので、これらの取付部２３ｇ，３２ｇにて構造材８を上下前後から包むように包持するものとなる。
【００６８】
図１３に示す第８実施例では、取付部材１Ｈがフレーム材２Ｈと固定材３Ｈからなり、フレーム材２Ｈについては縦片である起立部２１ｈが構造材８の奥側（後側）に位置する上リップの下端に至り、その下端から第１取付部２３ｈが前方へ略水平面状に延在し、構造材８の前面の裏面側に当接する部分が下方へ折り曲げられている。
また、固定材３Ｈについては、前記第４実施例（図８）や第６実施例（図１１）と同様に、Ｃ型鋼である構造材８の上面に沿う略水平面状の添接片３１ｈの先端（前端）に、構造材８の前面側の上端（角部）を抱持する略直角面状の第２取付部３２ｈを有する構成である。
【００６９】
この第８実施例では、第１取付部２３ｈを構造材８の上リップの下端を抱持させてフレーム材２Ｇを配設し、添接片３１ｈの前端に形成される第２取付部３２ｈが構造材８の前面を抱持するように固定材３Ｈを配設するので、これらの取付部２３ｈ，３２ｈにて構造材８の上半部分を包むように包持するものとなる。
【符号の説明】
【００７０】
１，１Ｂ〜１Ｈ  （外装材用）取付部材
２，２Ｂ〜２Ｈ  フレーム材
２１，２１ｂ〜２１ｈ  起立部
２１１  被係合部
２１２  孔
２２  保持部
２２１  被嵌合部
２２２  第二被嵌合部
２３，２３ｂ〜２３ｈ  第１取付部
２４  中空（箱）状
２４１  前面
２５  横片部
２６  被係合部
３，３Ｂ〜３Ｈ  固定材
３１，３１ｂ〜３１ｈ  添接片
３２，３２ｂ〜３２ｈ  第２取付部
３３  係合部
３４  傾斜片
３４１  スリット
３５  鍔部
３６  係合部
４，４"  構造材（Ｌ型鋼）
５  外装材
５１  面板部
５２  側縁成形部
５２１  嵌合部
５２２  被支持部
６  キャップ材
６１  覆い部
６２  嵌合保持部
８  構造材（Ｃ型鋼）
【図１】
0005532431.tif 000002
【図２】
0005532431.tif 000003
【図３】
0005532431.tif 000004
【図４】
0005532431.tif 000005
【図５】
0005532431.tif 000006
【図６】
0005532431.tif 000007
【図７】
0005532431.tif 000008
【図８】
0005532431.tif 000009
【図９】
0005532431.tif 000010
【図１０】
0005532431.tif 000011
【図１１】
0005532431.tif 000012
【図１２】
0005532431.tif 000013
【図１３】
0005532431.tif 000014